(57)【特許請求の範囲】
【請求項１】
外壁出隅部の表面をコテ塗仕上げ材により曲面に仕上げるための塗壁用下地材であって、柱の角部に重合される横断面Ｌ字形状の角部対応部と、該角部対応部の両側に形成された各々横断面円弧形状の２つの曲面部と、前記柱の両側に配される壁下地板の表面に位置するように前記２つの曲面部それぞれの外側に延設された平板状の平板部とを有しており、２つの前記曲面部は、前記角部を形成する前記柱の２側面上に、該各側面から離間させて配されることを特徴とする塗壁用下地材。
【請求項２】
多数の孔部を有する一枚の金属板を、折曲して形成されている請求項１記載の塗壁用下地材。
【請求項３】
柱の両側に２枚の壁下地板が互いに直角に配置され、該各壁下地板の側縁部は、該柱の相隣接する２側面上に位置し且つその室外側の表面が該各側面から突出しており、横断面Ｌ字形状の角部対応部と該角部対応部の両側に形成された各々横断面円弧形状の２つの曲面部とを有する塗壁用下地材が、該角部対応部を前記柱の前記２側面が形成する角部に重合されると共に２つの前記曲面部又は該両曲面部の外側に延設された平板部をそれぞれ前記各壁下地板の表面上に位置させた状態で、固定されていることを特徴とする塗壁用下地構造。
【請求項４】
前記各壁下地板の前記側縁部と前記柱の前記２側面が形成する角部との間の該各側面上に、前記塗壁用下地材の室内側表面の形状に適合する表面形状を有するバックアップ材が配設されている請求項３記載の塗壁用下地構造。
【発明の詳細な説明】
【０００１】
【発明の属する技術分野】
本発明は、柱の適正位置に容易に固定することができ、外壁出隅部の表面を、コテ塗仕上げ材により、上下に綺麗に通った均質で美麗な曲面に仕上げることができ、しかもクラックを生じさせにくい塗壁用下地材及びそれを用いた塗壁用下地構造に関する。
【０００２】
【従来の技術及び発明が解決しようとする課題】
近年、デザインに対する消費者の関心が高まる傾向にあり、モルタル仕上げの建物についてもデザイン性を高める必要がある。
従来、曲線が織りなす柔らかさや優しさをモルタル仕上げの木造家屋で表現するには、バルコニーや下がり壁を曲線で見せる方法が採用されている。
通常、モルタル仕上げの木造家屋外壁における出隅部の表面は、直角に形成されている。これは、出隅部の表面を曲面に仕上げるためには、柱を削るか又は位置をずらす必要があり、耐力面や耐久性に多大な不利を生じるためである。更に、従来法においては、上下に綺麗に通った均質で美麗な曲面に仕上げることは困難であり、更にはクラックが生じ易いという問題もあった。本発明は、斯かる事情に鑑みてなされたものである。
【０００３】
従って、本発明の目的は、柱の適正位置に容易に固定することができ、外壁出隅部の表面を、コテ塗仕上げ材により、上下に綺麗に通った均質で美麗な曲面に仕上げることができ、しかもクラックを生じさせにくい、塗壁用下地材及びそれを用いた塗壁用下地構造を提供することにある。
【０００４】
【課題を解決するための手段】
本発明は、外壁出隅部の表面をコテ塗仕上げ材により曲面に仕上げるための塗壁用下地材であって、柱の角部に重合される横断面Ｌ字形状の角部対応部と、該角部対応部の両側に形成された各々横断面円弧形状の２つの曲面部と、前記柱の両側に配される壁下地板の表面に位置するように前記２つの曲面部それぞれの外側に延設された平板状の平板部とを有しており、２つの前記曲面部は、前記角部を形成する前記柱の２側面上に、該各側面から離間させて配されることを特徴とする塗壁用下地材を提供することにより、上記目的を達成したものである。
【０００５】
本発明は、柱の両側に２枚の壁下地板が互いに直角に配置され、該各壁下地板の側縁部は、該柱の相隣接する２側面上に位置し且つその室外側の表面が該各側面から突出しており、横断面Ｌ字形状の角部対応部と該角部対応部の両側に形成された各々横断面円弧形状の２つの曲面部とを有する塗壁用下地材が、該角部対応部を前記柱の前記２側面が形成する角部に重合されると共に２つの前記曲面部又は該両曲面部の外側に延設された平板部をそれぞれ前記各壁下地板の表面上に位置させた状態で、固定されていることを特徴とする塗壁用下地構造を提供することにより、上記目的を達成したものである。
【０００６】
【発明の実施の形態】
以下、本発明をその好ましい実施形態に基づいて説明する。
図１は、本発明の一実施形態としての塗壁用下地材及び塗壁用下地構造を使用して構築した、木造家屋の外壁出隅部の塗壁構造を一部破断して示す斜視図である。
【０００７】
先ず、本発明の塗壁用下地材の一実施形態について説明する。
本実施形態の塗壁用下地材１は、図１及び図２に示す如く、木造家屋の外壁出隅部Ｃの表面をコテ塗仕上げ材６により曲面に仕上げるための塗壁用下地材１であり、外壁の出隅部に立設された柱２の角部２１に重合される横断面Ｌ字形状の角部対応部１１と、該角部対応部１１の両側に形成された各々横断面円弧形状の２つの曲面部１２，１２と、該両曲面部１２，１２の両外側に延設された平板状の平板部１３，１３とを有している。
【０００８】
角部対応部１１は、塗壁用下地材１の幅方向中央部に、その長手方向に沿って直線状に形成されている。角部対応部１１は、図４に示す如く、柱２の角部２１を形成する２側面の内の一方の側面２２に重合される細幅平板状の板状部１１ａと他方の側面２２に重合される細幅平板状の板状部１１ｂとからなり、両板状部１１ａ，１１ｂ間の角度は、柱２の角部２１の角度に対応させて略直角である。
【０００９】
２つの曲面部１２，１２は、何れも、その横断面（角部対応部１１が延びる方向に直交する横断面）の形状が、曲率半径（図４中のＲで示す）が３６．５ｍｍの円弧状とされており、両曲面部１２，１２の円弧の円の中心Ｏが一致している。２つの曲面部１２，１２の円弧の曲率半径は、塗壁仕上げ材により形成される仕上げ面の円弧の曲率半径の設計値に対応させて設定されており、各曲面部１２の円弧と仕上げ面の円弧とは同心円の円弧とされている。上下に綺麗に通った均質で美麗な曲面上の仕上げ面を形成する観点から、２つの曲面部１２，１２の断面形状は、曲率半径３．２〜６．１ｃｍ程度の円弧状とされていることが好ましい。
【００１０】
平板部１３は、塗壁用下地材１の幅方向における両曲面部１２，１２より外側に形成された平板状の部分であり、各曲面部１２とその外側の平板部１３との境界線は、角部対応部１１と平行である。
【００１１】
図２に示すように、塗壁用下地材１は、前記曲面部１２，１２が、角部２１を形成する前記柱２の２側面２２，２２上に、該各側面２２から離間させて配されるようになされている。
即ち、図４に示すように、塗壁用下地材１は、角部対応部１１と各曲面部１２との間に、角部対応部１１を構成する両板状部１１ａ，１１ｂそれぞれから室外側に向けて立ち上がる立ち上がり部１４，１４を有しており、それにより、角部対応部１１を柱１の角部２１に重合させて固定した状態において、各曲面部１２は、柱２の２側面２２，２２上に、該各側面２２から離間して位置するようになっている。ここで、柱２の２側面２２，２２上とは、各側面２２に対して垂直な方向における、各側面２１上又は各側面２１から離れた位置を意味する。
立ち上がり部１４を有することで、塗壁用下地材１を、多数の孔部１４を有する一枚の金属板を折曲して形成した場合においても、２つの曲面部１２同士間の離間幅を抑制することができる。
【００１２】
本実施形態の塗壁用下地材１は、多数の孔部１４を有する一枚の金属板を、折曲して形成されている。より具体的には、スリットを入れた金属板を延伸して該スリットを拡開させた後、この金属板の複数箇所を断面直角或いは断面円弧状に折曲して、角部対応部１１、立ち上がり部１４、曲面部１２及び平板部１３を形成してある。
尚、塗壁用下地材１は、角部対応部１１に沿う方向の長さが１６０ｃｍ程度であり、２枚の塗壁用下地材で１階分の塗壁用下地材を構成する。
【００１３】
次に、上述した塗壁用下地材１を用いて構成した、本発明の塗壁用下地構造の一実施形態について説明する。
本実施形態の塗壁用下地構造においては、図１及び図２に示す如く、出隅部に立設された柱２の両側に２枚の壁下地板３，３が互いに直角に配置されている。
本実施形態で用いた壁下地板３は、建築物の壁仕上用下地材として柱間に取り付けて使用される壁仕上用下地パネル２であって、図１に示すように、間隔３１ａをおいて平行に配置された複数の表側帯状小巾板３１と、間隔３２ａをおいて平行に配置された複数の裏側帯状小巾板３２とを互いに交差させた状態で接合一体化してなるものであり、両側を柱２や間柱２０によって区画された柱間に対応した大きさとなっており、当該柱間を壁の表側から覆うようにして取り付けられている。壁仕上用下地パネル３は、その厚み内に、パネルの下端から導入された外気を上端から排出させる通気層を形成することができ、パネル３の詳細については、本出願人の出願に係る特開２０００−１６０７３２に記載されている。
【００１４】
両壁仕上用下地パネル３の柱２側の各側縁部３３，３３は、柱２の相隣接する２側面２２，２２上に位置し且つその室外側の表面が該各側面２２，２２から１０．５〜１８ｍｍ程度突出した状態で柱２に固定されている。
【００１５】
図２に示すように、柱２及び両パネル３，３の室外側には、アスファルトフェルト等の防水シート７が両パネル間に跨がって取り付けられており、その防水シート７の上から、柱２及び／又はパネル３，３に対して、塗壁用下地材１が固定されている。
塗壁用下地材１は、角部対応部１１を柱２の２側面２２，２２が形成する角部２１に重合されると共に、平板状の平板部１３，１３をそれぞれ各壁下地板３上に位置させた状態で固定されている。
塗壁用下地材１は、柱２及び／又は外壁形成用パネル３，３に対して、直接固定しても良いし、他の部材（例えば、後述するバックアップ材４）を介して間接的に固定しても良い。塗壁用下地材１の固定手段としては、ステープルやタッカー釘の他、釘、ネジ、ビス等の棒状固定具、更には接着剤、係止具等の各種公知の固定手段を用いることができる。
【００１６】
容易且つ確実な固定の観点から、特に好ましい固定方法としては、塗壁用下地材１の両平板部１３を、タッカーを用いて、各外壁形成用パネル３の側縁部３３上にタッカー釘を打ち付けて固定する方法、塗壁用下地材１の曲面部１２及び／又は平板部１３を、同様にタッカー釘を用いて、柱２に固定したバックアップ材４上に固定する方法等が挙げられる。
【００１７】
壁仕上用下地パネル３の側縁部３３と前記柱２の２側面２２，２２が形成する角部２１との間の各側面２２上には、上述した塗壁用下地材１の室内側表面の形状に適合する（室内側表面の形状に沿う）表面形状を有するバックアップ材４が配設されている。
斯かるバックアップ材４を配設することにより、塗厚の均質化と曲面保持の施工性が向上する。
バックアップ材４の形成材としては、無垢材、繊維板等の木質材、合成樹脂成形体、合成樹脂の発泡体、金属板等を挙げることができる。バックアップ材は、コテ塗仕上げ材による塗圧に対抗し得るものであれば、中実体でも中空体でも良い。中空のバックアップ材は、例えば金属板（金網を含む）を屈曲して筒状に形成することにより得られる。バックアップ材４は、釘、ネジ、ビス等の棒状固定具や接着剤、係止具等の適宜の固定手段により、柱の側面２２に固定されている。
【００１８】
尚、壁仕上用下地パネル３の室外側表面上には、図示の如く、従来公知の塗壁下地材であるラス（例えばメタルラス、縦線及び横線を格子状に接合したラス）５が取り付けられており、該ラス５の側縁部は、上述した塗壁用下地材１の平板部１３に重ねた状態で、パネル３の側縁部３３上に固定されている。
【００１９】
このような塗壁用下地構造を用いて、外壁出隅部Ｃの表面をコテ塗仕上げ材６により曲面に仕上げるには、一方のパネル３の側縁部３３上から他方のパネル３の側縁部３３上に亘って塗厚が均一になるようにコテ塗仕上げ材６をコテを用いて塗工する。コテ塗仕上げ材６としては、モルタル、漆喰、土塗等が挙げられる。
【００２０】
本実施形態の塗壁用下地材によれば、角部対応部２１を柱の角部に重ね合わせることにより、塗壁用下地材を容易に柱の適正位置に配置することができ、これにより、塗壁用下地材の角部が柱の角部２１に対して傾斜して配されることにより生じる、仕上げ面の曲面部の稜線、曲面部と平面部との境界線等の左右方向へのぶれを防止することができる。
【００２１】
また、本実施形態の塗壁用下地材及び塗壁下地構造によれば、角部対応部２１を、上下方向に延びる基準線として用いることができるので、これを曲面部の幅方向の中心位置を示す目安として用いる等により、左右方向へのぶれのない、上下に綺麗に通った均質で美麗な曲面を出隅部の仕上げ面に形成することができる。
【００２２】
また、本実施形態の塗壁用下地材１及び塗壁下地構造によれば、塗壁用下地材１の２つの該曲面部１２，１２が、柱２の２側面２２，２２上に該各側面２２から離間させて配されているため、塗壁用下地材パネル３の側縁端の近傍において、コテ塗仕上げ材６の塗厚が大きく変化するのが防止され、その付近にクラックが発生することを防止することができると共に、塗壁用下地材１の円弧状の曲面部１２により、一方のパネル３の側縁部３３上から他方のパネル３の側縁部３３上に亘ってコテ塗仕上げ材６の塗厚を均一にすることが容易にできるため、円弧状の仕上げ面等にもクラックが生じることを防止できる。
【００２３】
更に、本実施形態の塗壁用下地材１及び塗壁下地構造においては、柱２の角部２１を円弧状に加工する必要もないので、塗壁の耐久性等を低下させたり、柱２加工コストを増大させることなく、外壁出隅部Ｃの表面形状を曲率の大きな曲面状（例えば曲率半径４４ｍｍ〜１０５ｍｍ）に形成することができる。
【００２４】
以上、本発明の実施形態について説明したが、本発明は上記実施形態に制限されず、本発明の趣旨を逸脱しない範囲で適宜変更が可能である。
例えば、塗壁用下地材は、片側又は両側の平板部１３を有さず、曲面部１２の側縁部を、壁下地板３上又はバックアップ材４上に固定するものであっても良い。また、壁下地板としては、合板等による耐力面材等を用いることもできる。また、バックアップ材４は、図５に示すように、柱２の一方の側面上に配される部分４ａと他方の側面２２上に配される部分４ｂとが、薄肉に形成された可撓性の連設部４ｃを介して一体化されたものであっても良く、また、バックアップ材４は、塗壁用下地材の室内側表面に予め接合しておいても良い。これにより、施工の簡便化が図られる。また、塗壁用下地材１の２つの曲面部１２，１２の円弧形状は、その曲率半径が異なるものであっても良い。
【００２５】
【発明の効果】
本発明の塗壁用下地材は、柱の適正位置に容易に固定することができ、外壁出隅部の表面を、コテ塗仕上げ材により、上下に綺麗に通った均質で美麗な曲面に仕上げることができ、クラックを生じさせにくいものである。
本発明の塗壁用下地構は、外壁出隅部の表面を、コテ塗仕上げ材により、上下に綺麗に通った均質で美麗な曲面に仕上げることができ、クラックを生じさせにくいものである。
【図面の簡単な説明】
【図１】図１は、本発明の一実施形態としての塗壁用下地材及び塗壁用下地構造を使用して構築した、木造家屋の外壁出隅部の塗壁構造を一部破断して示す斜視図である。
【図２】図２は、図１のＸ−Ｘ線断面図である。
【図３】図３は、図１の塗壁構造に用いた塗壁用下地材を一部省略して示す斜視図である。
【図４】図４は、塗壁用下地材の角部対応部の近傍を拡大して示す横断面図である。
【図５】図５は、バックアップ材の他の形態を一部省略して示す斜視図である。
【符号の説明】
１  塗壁用下地材
２  柱
２１  角部
２２  角部を形成する側面
３  外壁形成用パネル（壁下地板）
３３  側縁部
４  バックアップ材
５  ラス
６  コテ塗仕上げ材
７  防水シート
Ｃ  外壁出隅部
【図１】
0004663932.tif 000002
【図２】
0004663932.tif 000003
【図３】
0004663932.tif 000004
【図４】
0004663932.tif 000005
【図５】
0004663932.tif 000006